(57)【要約】【課題】  勾配屋根面の軒側を含む広い屋根面に太陽エネルギー収集パネルを簡易かつ確実に固定すること。【解決手段】  勾配屋根面Ｒの勾配方向に複数の太陽エネルギー収集パネル１０Ｈ、１０Ｌが固定される太陽エネルギー収集パネル１０の固定構造であって、水上側と水下側の太陽エネルギー収集パネル１０Ｈ、１０Ｌの接続部では、水上側太陽エネルギー収集パネル１０Ｌの水下側端部１４Ｄと水下側太陽エネルギー収集パネル１０Ｌの水上側端部１４Ｕとが共通の固定具２０で固定され、少なくとも水下側太陽エネルギー収集パネル１０Ｌの水下側端部１４Ｄが固定される固定具２０は、屋根面固定部２１がパネル固定部２３より水下側になるよう配置されているもの。【選択図】  図２
2015172289.tif 000002
【特許請求の範囲】
【請求項１】
勾配屋根面の勾配方向に複数の太陽エネルギー収集パネルが並んで固定される太陽エネルギー収集パネルの固定構造であって、
太陽エネルギー収集パネルの水上側端部と水下側端部がそれぞれ固定される固定具が設けられ、
固定具は、勾配屋根面に添設されてネジ等で固定される屋根面固定部と、屋根面固定部から起立して太陽エネルギー収集パネルの水上側端部又は水下側端部が係合して固定されるパネル固定部と、からなり、
水上側と水下側の太陽エネルギー収集パネルの接続部では、水上側太陽エネルギー収集パネルの水下側端部と水下側太陽エネルギー収集パネルの水上側端部とが共通の固定具で固定され、
少なくとも水下側太陽エネルギー収集パネルの水下側端部が固定される固定具は、屋根面固定部がパネル固定部より水下側になるよう配置されていることを特徴とする太陽エネルギー収集パネルの固定構造。
【請求項２】
請求項１記載の太陽エネルギー収集パネルの固定構造であって、水下側太陽エネルギー収集パネルの水下側端部が固定される固定具以外の他の固定具では、屋根面固定部がパネル固定部より水上側になるよう配置されていることを特徴とする太陽エネルギー収集パネルの固定構造。
【請求項３】
水下側太陽エネルギー収集パネルの水下側端部が固定される固定具と、これ以外の他の固定具とは、同一の部品とされていることを特徴とする請求項２記載の太陽エネルギー収集パネルの固定構造。
【請求項４】
勾配屋根面の勾配方向に複数の太陽エネルギー収集パネルを並べて固定する太陽エネルギー収集パネルの固定方法であって、
太陽エネルギー収集パネルの水上側端部と水下側端部がそれぞれ固定される固定具を用い、
固定具は、勾配屋根面に添設されてネジ等で固定される屋根面固定部と、屋根面固定部から起立して太陽エネルギー収集パネルの水上側端部又は水下側端部が係合して固定されるパネル固定部と、からなり、
水上側と水下側の太陽エネルギー収集パネルの接続部では、水上側太陽エネルギー収集パネルの水下側端部と水下側太陽エネルギー収集パネルの水上側端部とを共通の固定具で固定するものであって、
第１の工程では、固定具の屋根面固定部をパネル固定部より水上側になるよう配置して太陽エネルギー収集パネルを固定し、
第２の工程では、第１の工程で固定した太陽エネルギー収集パネルの水下側に、他の太陽エネルギー収集パネルを固定し、その際、他の太陽エネルギー収集パネルの水下側端部を固定する固定具を、屋根面固定部がパネル固定部より水下側になるよう配置することを特徴とする太陽エネルギー収集パネルの固定方法。
【請求項５】
請求項４記載の太陽エネルギー収集パネルの固定方法であって、
前記第１の工程は、工場において屋根ユニット又は屋根パネルに太陽エネルギー収集パネルを固定する工程であり、
前記第２の工程は、現地において屋根ユニット又は屋根パネルに太陽エネルギー収集パネルを固定する工程であることを特徴とする太陽エネルギー収集パネルの固定方法。
【発明の詳細な説明】
【技術分野】
【０００１】
本発明は、太陽エネルギー収集パネルの固定構造及び方法に関する。
【背景技術】
【０００２】
従来、太陽エネルギー収集パネルの固定構造では、勾配屋根面の勾配方向に複数の太陽エネルギー収集パネルが順に固定され、太陽エネルギー収集パネルの水上側端部と水下側端部がそれぞれ固定される固定具を用いている。
【０００３】
特許文献１には、勾配屋根面に添設されてネジ等で固定される第二固定部材と、第二固定部材の上面に取付けられて太陽エネルギー収集パネルの水上側端部の枠体又は水下側端部の枠体が固定される第一固定部材との組合せによって、固定具を構成するものが開示されている。
【０００４】
特許文献１では、複数の太陽エネルギー収集パネルを勾配屋根面の最も水下側となる軒側から最も水上側となる棟側に向けて下記i、iiの如くに順に固定している。このとき、各太陽エネルギー収集パネルの水上側端部と水下側端部を固定する各固定具（第一固定部材と第二固定部材の組）の全てが、第一固定部材より第二固定部材を水上側になるように配置した状態で勾配屋根面上にねじ等で固定される。
【０００５】
i.  太陽エネルギー収集パネルの水下側端部が固定される固定具（第一固定部材と第二固定部材の組）を第一固定部材より第二固定部材を水上側に配置して勾配屋根面上に固定し、その後、当該固定具に当該太陽エネルギー収集パネルの水下側端部を係合する。
【０００６】
ii.  上記iの太陽エネルギー収集パネルの水上側端部が固定される固定具（第一固定部材と第二固定部材の組）を該太陽エネルギー収集パネルの水上側端部に係合し、第一固定部材より第二固定部材を水上側に配置して勾配屋根面上に固定する。
【０００７】
上記i、iiの太陽エネルギー収集パネルの固定構造を、勾配屋根面の軒側（水下側）から棟側（水上側）に向けて順に固定される複数の太陽エネルギー収集パネルについて繰り返す。これにより、各固定具（第一固定部材と第二固定部材の組）の第二固定部材は、その上に太陽エネルギー収集パネルが固定されて該第二固定部材が上方空間に対して遮られる前段階で、勾配屋根面に添設され、ネジ等で確実に固定される。
【０００８】
また、固定具と太陽エネルギー収集パネルとは係合のみで固定されるため、固定作業が簡易で済む。
【先行技術文献】
【特許文献】
【０００９】
【特許文献１】特許4975893号公報
【発明の概要】
【発明が解決しようとする課題】
【００１０】
しかしながら、上記の従来技術においては、固定具と太陽エネルギー収集パネルとが係合により固定されるため、水上・水下の両固定具を屋根面に固定した後では、その間にパネルを取り付けることができない。また、太陽エネルギー収集パネルの水下側端部を固定具に係合した状態では、固定具の屋根面固定部の上方がパネルで遮られてしまい、屋根面への固定作業ができないので、まず、水下側の固定具を屋根面に取り付けてから、パネルの水下側端部を固定具に係合させる必要がある。これらの理由から、複数の太陽エネルギー収集パネルを勾配屋根面に固定する順番は、前記のように、水下側から水上側に順に固定するように限定される。つまり、既に固定されている太陽エネルギー収集パネルの水下側に、別の太陽エネルギー収集パネルを固定することができない。
【００１１】
一方、ユニット建物等では、工場生産率を高めるために工場において屋根ユニットに極力多くの太陽エネルギー収集パネルを固定しておくことを志向するが、諸事情により、一部の太陽エネルギー収集パネルは現地にて固定せざるを得ず、工場で固定した太陽エネルギー収集パネルの水下側に現地で別の太陽エネルギー収集パネルを固定する必要がを生じることがあるが、この場合、上記従来技術は採用できない。
【００１２】
本発明の課題は、係合によって太陽エネルギー収集パネルが簡易に固定でき、固定する順番の限定も緩和できる太陽エネルギー収集パネルの固定構造及び方法を提供することにある。
【課題を解決するための手段】
【００１３】
請求項１に係る発明は、勾配屋根面の勾配方向に複数の太陽エネルギー収集パネルが並んで固定される太陽エネルギー収集パネルの固定構造であって、太陽エネルギー収集パネルの水上側端部と水下側端部がそれぞれ固定される固定具が設けられ、固定具は、勾配屋根面に添設されてネジ等で固定される屋根面固定部と、屋根面固定部から起立して太陽エネルギー収集パネルの水上側端部又は水下側端部が係合して固定されるパネル固定部と、からなり、水上側と水下側の太陽エネルギー収集パネルの接続部では、水上側太陽エネルギー収集パネルの水下側端部と水下側太陽エネルギー収集パネルの水上側端部とが共通の固定具で固定され、少なくとも水下側太陽エネルギー収集パネルの水下側端部が固定される固定具は、屋根面固定部がパネル固定部より水下側になるよう配置されているようにしたものである。
【００１４】
請求項２に係る発明は、請求項１記載の太陽エネルギー収集パネルの固定構造であって、水下側太陽エネルギー収集パネルの水下側端部が固定される固定具以外の他の固定具では、屋根面固定部がパネル固定部より水上側になるよう配置されているようにしたものである。
【００１５】
請求項３に係る発明は、請求項２に係る発明において更に、水下側太陽エネルギー収集パネルの水下側端部が固定される固定具と、これ以外の他の固定具とは、同一の部品とされているようにしたものである。
【００１６】
請求項４に係る発明は、勾配屋根面の勾配方向に複数の太陽エネルギー収集パネルを並べて固定する太陽エネルギー収集パネルの固定方法であって、太陽エネルギー収集パネルの水上側端部と水下側端部がそれぞれ固定される固定具を用い、固定具は、勾配屋根面に添設されてネジ等で固定される屋根面固定部と、屋根面固定部から起立して太陽エネルギー収集パネルの水上側端部又は水下側端部が係合して固定されるパネル固定部と、からなり、水上側と水下側の太陽エネルギー収集パネルの接続部では、水上側太陽エネルギー収集パネルの水下側端部と水下側太陽エネルギー収集パネルの水上側端部とを共通の固定具で固定するものであって、第１の工程では、固定具の屋根面固定部をパネル固定部より水上側になるよう配置して太陽エネルギー収集パネルを固定し、第２の工程では、第１の工程で固定した太陽エネルギー収集パネルの水下側に、他の太陽エネルギー収集パネルを固定し、その際、他の太陽エネルギー収集パネルの水下側端部を固定する固定具を、屋根面固定部がパネル固定部より水下側になるよう配置するようにしたものである。
【００１７】
請求項５に係る発明は、請求項４記載の太陽エネルギー収集パネルの固定方法であって、前記第１の工程は、工場において屋根ユニット又は屋根パネルに太陽エネルギー収集パネルを固定する工程であり、前記第２の工程は、現地において屋根ユニット又は屋根パネルに太陽エネルギー収集パネルを固定する工程である
ようにしたものである。
【発明の効果】
【００１８】
（請求項１）
(a)勾配屋根面の軒側に固定される水下側太陽エネルギー収集パネルの水下側端部が固定される固定具は、屋根面固定部がパネル固定部より水下側になるように配置される。従って、この太陽エネルギー収集パネルは水上側端部を、既に屋根面の水上側に固定されている他の固定具のパネル固定部に係合して先に固定した状態下で、当該太陽エネルギー収集パネルの水下側端部がこれに対応する固定具のパネル固定部と係合する姿勢に当該固定具を位置付けつつ当該固定具を屋根面に添設し、当該固定具のパネル固定部より水下側にあって当該太陽エネルギー収集パネルにより上方を遮られていない屋根面固定部をその上方からネジ取付け作用等することにより、当該屋根面に簡易かつ確実に固定される。
【００１９】
即ち、水上側太陽エネルギー収集パネルを固定した後に、水下側太陽エネルギー収集パネルを固定することができるようになり、固定する順番の限定が緩和される。
【００２０】
（請求項２）
(b)上述(a)の水下側太陽エネルギー収集パネルの水下側端部が固定される固定具以外の他の固定具では、屋根面固定部がパネル固定部より水上側になるように配置される。従って、上述(a)の水下側太陽エネルギー収集パネルの水上側端部は、上述の通り、その水下側端部より先に当該他の固定具に固定される。そして、上述(a)の水下側太陽エネルギー収集パネル以外の太陽エネルギー収集パネルは、その水下側端部が固定される当該他の固定具が屋根面固定部をパネル固定部より水上側に配置されて屋根面上に固定された状態下で、その水下側端部が当該固定具のパネル固定部に固定される。そして、当該太陽エネルギー収集パネルの水上側端部が固定される更に他の固定具が屋根面固定部をパネル固定部より水上側に配置されて屋根面上に固定された状態下で、その水上側端部が当該固定具のパネル固定部に固定されるものになる。
【００２１】
即ち、水上側太陽エネルギー収集パネルは、従来技術とおりの標準的な構造で固定できる。多数の太陽エネルギー収集パネルを固定する際には、慣れた作業で固定でき、作業性が良い。
【００２２】
（請求項３）
(c)水下側太陽エネルギー収集パネルの水下側端部が固定される固定具と、これ以外の他の固定具とは、同一の部品とされている。従って、固定具の部品の標準化を実現できる。
【００２３】
（請求項４）
(d)第１の工程で固定される太陽エネルギー収集パネルは、その水下側端部が固定される当該他の固定具が屋根面固定部をパネル固定部より水上側に配置されて屋根面上に固定された状態下で、その水下側端部が当該固定具のパネル固定部に固定される。そして、当該太陽エネルギー収集パネルの水上側端部が固定される更に他の固定具が屋根面固定部をパネル固定部より水上側に配置されて屋根面上に固定された状態下で、その水上側端部が当該固定具のパネル固定部に固定されるものになる。
【００２４】
次に、第２の工程で固定される水下側の太陽エネルギー収集パネルは水上側端部を、既に上述の第１の工程で屋根面の水上側に固定されている他の固定具のパネル固定部に係合して先に固定した状態下で、当該太陽エネルギー収集パネルの水下側端部がこれに対応する固定具のパネル固定部と係合する姿勢に当該固定具を位置付けつつ当該固定具を屋根面に添設し、当該固定具のパネル固定部より水下側にあって当該太陽エネルギー収集パネルにより上方を遮られていない屋根面固定部をその上方からネジ取付け作用等することにより、当該屋根面に簡易かつ確実に固定される。
【００２５】
即ち、水上側太陽エネルギー収集パネルを固定した後に、水下側太陽エネルギー収集パネルを固定することができるようになり、固定する順番の限定が緩和される。
【００２６】
（請求項５）
(e)ユニット建物を構成する屋根ユニット等で、軒側の屋根面に吊り具を取付けざるを得ない等により、勾配屋根面の軒側を含む広い屋根面に太陽エネルギー収集パネルを配置して発電量を高めようとするとき、勾配屋根面の棟側を含む水上側には太陽エネルギー収集パネルを工場取付けできるものの、軒側（水下側）の太陽エネルギー収集パネルは現地取付けせざるを得ない場合に、棟側（水上側）の太陽エネルギー収集パネルを上述(c)の第１の工程として工場取付けし、軒側（水下側）の太陽エネルギー収集パネルを上述(c)の第２の工程として現地取付けすることにより、勾配屋根面の軒側を含む広い屋根面に太陽エネルギー収集パネルを配置して発電量を高めることができる。
【図面の簡単な説明】
【００２７】
【図１】図１は太陽エネルギー収集パネルの工場における固定状態を示す模式図である。
【図２】図２は太陽エネルギー収集パネルの現地における固定状態を示す模式図である。
【図３】図３は、図１の水下側（左下側）において屋根面に固定済の固定具と太陽エネルギー収集パネルとの係合過程を示す模式図である。
【図４】図４は、図１の水上側（右上側）において屋根面への固定前の固定具と太陽エネルギー収集パネルとの係合過程を示す模式図である。
【図５】図５は、図２の水下側（左下側）において屋根面への固定前の固定具と水下側太陽エネルギー収集パネルとの係合過程を示す模式図である。
【発明を実施するための形態】
【００２８】
太陽エネルギー収集パネル１０の固定構造は、図１、図２に示す如く、屋根勾配面Ｒの勾配方向に複数の、本実施例では上下２段をなす２個の水上側太陽エネルギー収集パネル１０Ｈと水下側太陽エネルギー収集パネル１０Ｌを並べて固定するものである。
【００２９】
このとき、本実施例では、ユニット建物を構成する屋根ユニット（又は屋根パネル）１の勾配屋根面Ｒにそれらの太陽エネルギー収集パネル１０Ｈ、１０Ｌを固定するものとする。そして、屋根ユニット１を工場から現地に移送するための吊り具が、棟側では屋根ユニット１における棟側の鉛直材の外側面に取付けられ、軒側では屋根ユニット１における軒側の勾配屋根面Ｒに取付けられることとの関係上、勾配屋根面Ｒの棟側（水上側）に固定される太陽エネルギー収集パネル１０Ｈは工場で固定され（図１）、勾配屋根面Ｒの軒側（水下側）に固定される太陽エネルギー収集パネル１０Ｌは現地で固定される（図２）。
【００３０】
太陽エネルギー収集パネル１０（１０Ｈ、１０Ｌ）は、図４に示す如く、平面視で矩形状とされるパネル本体１１の外周に外枠１２を固定化されて備える。太陽エネルギー収集パネル１０は、外枠１２の下端部から枠内方に張り出した板状着座部１３を備えるととともに、外枠１２の水上側と水下側の各上端側外周部から枠外方に張り出した舌片状端部１４（水上側端部１４Ｕと水下側端部１４Ｄ）を備え、端部１４の張り出しの先端に上向き突起１４Ａを備える。
【００３１】
また、本実施例では、太陽エネルギー収集パネル１０（１０Ｈ、１０Ｌ）の水上側と水下側に位置することとなる水上側端部１４Ｕと水下側端部１４Ｄがそれぞれ固定される固定具２０を用いる。本実施例では、水下側太陽エネルギー収集パネル１０Ｌの水下側端部１４Ｄが固定される固定具２０と、これ以外の他の固定具２０（水下側太陽エネルギー収集パネル１０Ｌの水上側端部１４Ｕ、及び水上側太陽エネルギー収集パネル１０Ｈの水下側端部１４Ｄが固定される固定具２０、並びに水上側太陽エネルギー収集パネル１０Ｈの水上側端部１４Ｕが固定される固定具２０）とが、同一の部品とされている。固定具２０は、図３に示す如く、勾配屋根面Ｒに添設されてネジ３０で固定される屋根面固定部２１と、屋根面固定部２１の一端側に接合されて屋根面Ｒに載置される屋根面載置部２２と、屋根面固定部２１及び屋根面載置部２２から起立し、太陽エネルギー収集パネル１０の水上側端部１４Ｕ又は水下側端部１４Ｄが係合して固定されるパネル固定部２３とを備える。固定具２０は、屋根面固定部２１、屋根面載置部２２及びパネル固定部２３を有する図３の横断面を図３の紙面直交方向に沿う長手方向に延在して構成される。尚、本発明の固定具２０において、屋根面載置部２２を備えることは必須とされない。
【００３２】
固定具２０の屋根面固定部２１は、長手方向に延びる箱状断面をなし、勾配屋根面Ｒに載置される底部２１Ａと、底部２１Ａの上部に位置する台座部２１Ｂを備え、底部２１Ａにネジ孔ｈを備え、台座部２１Ｂにネジ込み操作孔ｊを備える。屋根面固定部２１は、長手方向に沿う複数位置にネジ孔ｈ及びネジ込み操作孔ｊを備える。
【００３３】
固定具２０の屋根面載置部２２は、長手方向に延びる箱状断面をなし、勾配屋根面Ｒに載置される底部２２Ａと、底部２２Ａの上部に位置する台座部２２Ｂを備える。
【００３４】
固定具２０のパネル固定部２３は、屋根面固定部２１と屋根面載置部２２の台座部２１Ｂ、２２Ｂから立ち上がる起立部２４を備えるとともに、起立部２４の上端部から両側に突き出て一対をなす舌片状係合部２５、２６を備え、各係合部２５、２６の突き出しの先端に下向き突起２５Ａ、２６Ａを備える。起立部２４は、長手方向に延びる箱状断面をなし、屋根面固定部２１の側で立ち上がる正面起立壁２４Ａと、屋根面載置部２２の側で立ち上がる背面起立壁２４Ｂを備える。
【００３５】
固定具２０は、屋根面固定部２１をパネル固定部２３の下部に位置させている。これにより、屋根面固定部２１に設けたネジ孔ｈ、ネジ込み操作孔ｊは、パネル固定部２３の舌片状係合部２５に係合して固定された太陽エネルギー収集パネル１０（１０Ｈ、１０Ｌ）により上方空間に対して遮られるものになる。
【００３６】
しかるに、本実施例では、屋根ユニット１の勾配屋根面Ｒに水上側太陽エネルギー収集パネル１０Ｈと水下側太陽エネルギー収集パネル１０Ｌを順に固定するに際し、水上側太陽エネルギー収集パネル１０Ｈと水下側太陽エネルギー収集パネル１０Ｌの接続部では、水上側太陽エネルギー収集パネル１０Ｈの水下側端部１４Ｄを水下側太陽エネルギー収集パネル１０Ｌの水上側端部１４Ｕとが共通の固定具２０で固定される。そして、水下側太陽エネルギー収集パネル１０Ｌの水下側端部１４Ｄが固定される固定具２０は、屋根面固定部２１がパネル固定部２３より水下側になるように配置される。他の水上側太陽エネルギー収集パネル１０Ｈが固定される固定具２０では、屋根面固定部２１をパネル固定部２３より水上側になるように配置することができる。
【００３７】
以下、水上側太陽エネルギー収集パネル１０Ｈを工場において屋根ユニット１に固定する工程を第１の工程とし、水下側太陽エネルギー収集パネル１０Ｌを現地において屋根ユニット１に固定する工程を第２の工程として、それらの太陽エネルギー収集パネル１０Ｈ、１０Ｌの固定手順について説明する。
【００３８】
(1)第１の工程（工場）
i.  水上側太陽エネルギー収集パネル１０Ｈの水下側端部１４Ｄに固定される固定具２０を、屋根面固定部２１がパネル固定部２３より水上側になるように配置し、この屋根面固定部２１をネジ３０で勾配屋根面Ｒに固定する。
【００３９】
ii.  上述iの固定具２０のパネル固定部２３に水上側太陽エネルギー収集パネル１０Ｈの水下側端部１４Ｄを係合して固定する。即ち、水上側太陽エネルギー収集パネル１０Ｈの水下側端部１４Ｄを勾配屋根面Ｒに対する斜め上方から固定具２０のパネル固定部２３における舌片状係合部２５の下側に差し込み、かつ水上側太陽エネルギー収集パネル１０Ｈの着座部１３を固定具２０の屋根面固定部２１における台座部２１Ｂの上に載せた後、水上側太陽エネルギー収集パネル１０Ｈを勾配屋根面Ｒに平行となる位置まで回転し、水上側太陽エネルギー収集パネル１０Ｈの水下側端部１４Ｄにおける上向き突起１４Ａを固定具２０のパネル固定部２３における舌片状係合部２５の下向き突起２５Ａに係止可能にする。水上側太陽エネルギー収集パネル１０Ｈは、図３に示す如く、着座部１３を固定具２０の屋根面固定部２１の台座部２１Ｂ上に載置し、水下側端部１４Ｄを固定具２０のパネル固定部２３における舌片状係合部２５の下側に差し込み、水下側端部１４Ｄの上向き突起１４Ａを固定具２０のパネル固定部２３における舌片状係合部２５の下向き突起２５Ａに係止可能にされ、勾配屋根面Ｒに平行となる方向、及び直交する方向の双方で固定される。
【００４０】
iii.  他の固定具２０のパネル固定部２３を上述iiの水上側太陽エネルギー収集パネル１０Ｈの水上側端部１４Ｕに係合し、この固定具２０の屋根面固定部２１をネジ３０で勾配屋根面Ｒに固定する。即ち、他の固定具２０の屋根面固定部２１を勾配屋根面Ｒに対する斜め上向きに配置し、当該固定具２０のパネル固定部２３における舌片状係合部２５の下向き突起２５Ａが水上側太陽エネルギー収集パネル１０Ｈの水上側端部１４Ｕにおける上向き突起１４Ａに係合する姿勢となるように当該固定具２０を位置付けた状態で、当該固定具２０を転回させてその屋根面固定部２１を勾配屋根面Ｒに添設させ、ネジ３０で固定する。水上側太陽エネルギー収集パネル１０Ｈは、図４に示す如く、着座部１３を固定具２０の屋根面載置部２２の台座部２２Ｂ上に載置し、外枠１２を起立部２４の背面起立壁２４Ｂに添わせ、水上側端部１４Ｕを固定具２０のパネル固定部２３における舌片状係合部２６の下側に差し込み、水上側端部１４Ｕの上向き突起１４Ａを固定具２０のパネル固定部２３における舌片状係合部２６の下向き突起２６Ａに係止可能にされ、勾配屋根面Ｒに平行となる方向、及び直交する方向の双方で固定される。
【００４１】
これにより、水上側太陽エネルギー収集パネル１０Ｈは、水上側と水下側の舌片状端部１４（１４Ｕ、１４Ｄ）が対応する固定具２０のパネル固定部２３に係合する状態で、勾配屋根面Ｒに固定される。
【００４２】
(2)第２の工程（現地）
i.  水下側太陽エネルギー収集パネル１０Ｌの水上側端部１４Ｕを工場で固定済の水下側の固定具２０のパネル固定部２３に係合して固定する。即ち、水下側太陽エネルギー収集パネル１０Ｌの水上側端部１４Ｕを勾配屋根面Ｒに対する斜め上方から固定具２０のパネル固定部２３における舌片状係合部２６の下側に差し込み、かつ水下側太陽エネルギー収集パネル１０Ｌの着座部１３を固定具２０の屋根面載置部２２における台座部２２Ｂの上に載せた後、水下側太陽エネルギー収集パネル１０Ｌを勾配屋根面Ｒに平行となる位置まで回転し、水下側太陽エネルギー収集パネル１０Ｌの水上側端部１４Ｕにおける上向き突起１４Ａを固定具２０のパネル固定部２３における舌片状係合部２６の下向き突起２６Ａに係止可能にする。水下側太陽エネルギー収集パネル１０Ｌは、着座部１３を固定具２０の屋根面載置部２２の台座部２２Ｂ上に載置し、水上側端部１４Ｕを固定具２０のパネル固定部２３における舌片状係合部２６の下側に差し込み、水上側端部１４Ｕの上向き突起１４Ａを固定具２０のパネル固定部２３における舌片状係合部２６の下向き突起２６Ａに係止可能にされ、勾配屋根面Ｒに平行となる方向、及び直交する方向の双方で固定される。
【００４３】
ii.  水下側太陽エネルギー収集パネル１０Ｌの水下側端部１４Ｄを固定する固定具２０のパネル固定部２３を上述iの水下側太陽エネルギー収集パネル１０Ｌの水下側端部１４Ｄに係合し、この固定具２０の屋根面固定部２１をネジ３０で勾配屋根面Ｒに固定する。即ち、固定具２０の屋根面固定部２１を勾配屋根面Ｒに対する斜め上向きに配置し、当該固定具２０のパネル固定部２３における舌片状係合部２６の下向き突起２６Ａが水下側太陽エネルギー収集パネル１０Ｌの水下側端部１４Ｄにおける上向き突起１４Ａに係合する姿勢となるように当該固定具２０を位置付けた状態で、当該固定具２０を転回させてその屋根面固定部２１を勾配屋根面Ｒに添設させ、ネジ３０で固定する。水下側太陽エネルギー収集パネル１０Ｌは、図５に示す如く、着座部１３を固定具２０の屋根面載置部２２の台座部２２Ｂ上に載置し、外枠１２を起立部２４の背面起立壁２４Ｂに添わせ、水下側端部１４Ｄを固定具２０のパネル固定部２３における舌片状係合部２６の下側に差し込み、水下側端部１４Ｄの上向き突起１４Ａを固定具２０のパネル固定部２３における舌片状係合部２６の下向き突起２６Ａに係止可能にされ、勾配屋根面Ｒに平行となる方向、及び直交する方向の双方で固定される。
【００４４】
上述(1)、(2)による太陽エネルギー収集パネル１０（１０Ｈ、１０Ｌ）の固定構造では、水下側太陽エネルギー収集パネル１０Ｌの水下側端部１４Ｄが固定される固定具２０は屋根面固定部２１がパネル固定部２３より水下側になるように配置された。そして、他の固定具２０（水上側太陽エネルギー収集パネル１０Ｈの水上側端部１４Ｕが固定される固定具２０、及び水上側太陽エネルギー収集パネル１０Ｈの水下側端部１４Ｄと水下側太陽エネルギー収集パネル１０Ｌの水上側端部１４Ｕが固定される固定具２０）は屋根面固定部２１がパネル固定部２３より水上側になるように配置された。但し、上記の他の固定具２０は屋根面固定部２１がパネル固定部２３より水下側になるように配置されても良い（このとき、水上側太陽エネルギー収集パネル１０Ｈの水上側端部１４Ｕが固定される固定具２０の屋根面固定部２１を先に勾配屋根面Ｒに固定し、次に、水上側太陽エネルギー収集パネル１０Ｈの水下側端部１４Ｄと水下側太陽エネルギー収集パネル１０Ｌの水上側端部１４Ｕが固定される固定具２０の屋根面固定部２１を勾配屋根面Ｒに固定するものになる）。従って、本発明では、少なくとも水下側太陽エネルギー収集パネル１０Ｌの水下側端部１４Ｄが固定される固定具２０が、屋根面固定部２１をパネル固定部２３よりも水下側に配置するものとされる。
【００４５】
本実施例によれば以下の作用効果を奏する。
(a)第１の工程で固定される水上側太陽エネルギー収集パネル１０Ｈは、その水下側端部１４Ｄが固定される固定具２０が屋根面固定部２１をパネル固定部２３より水上側に配置されて屋根面Ｒ上に固定された状態下で、その水下側端部１４Ｄが当該固定具２０のパネル固定部２３に固定される。そして、当該太陽エネルギー収集パネル１０Ｈの水上側端部１４Ｕが固定される他の固定具２０が屋根面固定部２１をパネル固定部２３より水上側に配置されて屋根面Ｒ上に固定された状態下で、その水上側端部１４Ｕが当該固定具２０のパネル固定部２３に固定されるものになる。
【００４６】
即ち、水上側太陽エネルギー収集パネル１０Ｈは、従来技術とおりの標準的な構造で固定できる。多数の太陽エネルギー収集パネル１０を固定する際には、慣れた作業で固定でき、作業性が良い。
【００４７】
次に、第２の工程で固定される水下側の水下側太陽エネルギー収集パネル１０Ｌは水上側端部１４Ｕを、既に上述の第１の工程で屋根面Ｒの水上側に固定されている他の固定具２０のパネル固定部２３に係合して先に固定した状態下で、当該太陽エネルギー収集パネル１０Ｌの水下側端部１４Ｄがこれに対応する固定具２０のパネル固定部２３と係合する姿勢に当該固定具２０を位置付けつつ当該固定具２０を屋根面Ｒに添設し、当該固定具２０のパネル固定部２３より水下側にあって当該太陽エネルギー収集パネル１０Ｌにより上方を遮られていない屋根面固定部２１をその上方からネジ取付け作用等することにより、当該屋根面Ｒに簡易かつ確実に固定される。
【００４８】
即ち、水上側太陽エネルギー収集パネル１０Ｈを固定した後に、水下側太陽エネルギー収集パネル１０Ｌを固定することができるようになり、固定する順番の限定が緩和される。
【００４９】
(b)ユニット建物を構成する屋根ユニット１等で、軒側の屋根面Ｒに吊り具を取付けざるを得ない等により、勾配屋根面Ｒの軒側を含む広い屋根面Ｒに太陽エネルギー収集パネルを配置して発電量を高めようとするとき、勾配屋根面Ｒの棟側を含む水上側には水上側太陽エネルギー収集パネル１０Ｈを工場取付けできるものの、軒側（水下側）の水下側太陽エネルギー収集パネル１０Ｌは現地取付けせざるを得ない場合に、棟側（水上側）の水上側太陽エネルギー収集パネル１０Ｈを上述(a)の第１の工程として工場取付けし、軒側（水下側）の水下側太陽エネルギー収集パネル１０Ｌを上述(a)の第２の工程として現地取付けすることにより、勾配屋根面Ｒの軒側を含む広い屋根面に太陽エネルギー収集パネル１０（１０Ｈ、１０Ｌ）を配置して発電量を高めることができる。
【００５０】
(c)水下側太陽エネルギー収集パネル１０Ｌの水下側端部１４Ｄが固定される固定具２０と、これ以外の他の固定具２０（水下側太陽エネルギー収集パネル１０Ｌの水上側端部１４Ｕ、及び水上側太陽エネルギー収集パネル１０Ｈの水下側端部１４Ｄが固定される固定具２０、並びに水上側太陽エネルギー収集パネル１０Ｈの水上側端部１４Ｕが固定される固定具２０）とが、同一の部品とされている。従って、固定具２０の部品の標準化を実現できる。
【００５１】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明は、上下３段以上をなす３個の太陽エネルギー収集パネルを勾配屋根面Ｒの勾配方向に順に固定するものにも適用できる。
【産業上の利用可能性】
【００５２】
本発明によれば、勾配屋根面の軒側を含む広い屋根面に太陽エネルギー収集パネルを簡易かつ確実に固定することができる。
【符号の説明】
【００５３】
１  屋根ユニット
１０  太陽エネルギー収集パネル
１０Ｌ  水上側太陽エネルギー収集パネル
１０Ｌ  水下側太陽エネルギー収集パネル
１４  舌片状端部
１４Ａ  上向き突起
１４Ｕ  水上側端部
１４Ｄ  水下側端部
２０  固定具
２１  屋根面固定部
２３  パネル固定部
２４  起立部
２５、２６  舌片状係合部
２５Ａ、２６Ａ  下向き突起
３０  ネジ
【図１】
2015172289.tif 000003
【図２】
2015172289.tif 000004
【図３】
2015172289.tif 000005
【図４】
2015172289.tif 000006
【図５】
2015172289.tif 000007